(57)【特許請求の範囲】
【請求項１】
街灯柱を含み、前記街灯柱は下方へ地面と固定され、前記街灯柱の右部には光センサが固定され、前記街灯柱は上方へ本体と固定され、前記本体には貯水空間が設けられ、前記貯水空間は上方へ上方に開口する集水空間と連通しており、前記貯水空間は下方へ揚水ポンプと固定され、前記貯水空間の右方には環状回動空間が設けられ、前記環状回動空間は下方へ環状連通空間と連通しており、前記環状連通空間は下方へ昇降空間と連通しており、前記本体は下方へ前記昇降空間と前記街灯柱との間に位置する連結ブロックと固定され、前記連結ブロックは下方へ電球と固定され、前記電球には発光空間が設けられ、前記昇降空間と前記連結ブロックとの間には下方に開口する湿気排出空間が設けられ、前記湿気排出空間は前記本体に位置し且つ前記連結ブロックの左方に位置しており、前記発光空間は上方へ上方に開口する湿気吸収箱連通空間と連通しており、前記湿気吸収箱連通空間は前記湿気排出空間と対応し、前記湿気吸収箱連通空間には湿気吸収箱が摺動可能に設けられ、前記湿気吸収箱は上方へ前記湿気排出空間に、下方へ前記発光空間に延在しており、前記湿気排出空間は右方へファン空間と連通しており、前記ファン空間の右方には上方に延在する下プーリ空間が設けられ、前記湿気排出空間の上方にはリール空間が設けられ、前記下プーリ空間の上方には前記本体と固定されたモータが設けられ、前記モータの上方には左プーリ空間が設けられ、前記左プーリ空間の上方には右プーリ空間が設けられ、前記左プーリ空間の右方には回動動力空間が設けられ、前記回動動力空間は右方へ前記環状回動空間と連通していることを特徴とする除曇機能付き且つ明度不足時に自浄可能な街灯。
【請求項２】
前記左プーリ空間は駆動軸を含み、前記駆動軸は前記左プーリ空間の上壁に回動可能に設けられ、前記駆動軸は下方へ前記左プーリ空間を貫通して前記モータの上面と固定され、且つ上方へ前記右プーリ空間に延在しており、前記左プーリ空間の下壁には第一従動軸が回動可能に設けられ、前記第一従動軸は上方へ前記左プーリ空間に、下方へ前記リール空間に延在しており、前記第一従動軸と前記駆動軸とは第一伝動ベルトによって伝動可能に連結され、前記左プーリ空間は上方へ磁性引き締めブロック空間と連通しており、前記磁性引き締めブロック空間は前記第一従動軸と前記駆動軸の間に位置しており、前記磁性引き締めブロック空間の上壁には電磁石が固定され、前記磁性引き締めブロックには磁性引き締めブロックが摺動可能に設けられ、前記磁性引き締めブロックにより前記第一伝動ベルトを引き締められ、前記磁性引き締めブロックの上面と前記電磁石の下面とは第一圧縮ばねによって連結されていることを特徴とする請求項１に記載の除曇機能付き且つ明度不足時に自浄可能な街灯。
【請求項３】
前記右プーリ空間は第二従動軸を含み、前記第二従動軸は前記右プーリ空間の下壁に回動可能に設けられ、前記第二従動軸は上方へ前記右プーリ空間に、下方へ前記回動動力空間に延在しており、前記回動動力空間には前記第二従動軸と固定された第一伝動歯車が設けられ、前記第二従動軸と前記駆動軸とは第二伝動ベルトによって伝動可能に連結され、前記右プーリ空間は下方へ引き締めブロック空間と連通しており、前記引き締めブロック空間は前記第二従動軸と前記駆動軸との間に位置しており、前記引き締めブロック空間には引き締め板が摺動可能に設けられ、前記引き締め板の下面と前記引き締めブロック空間の下壁とは第二圧縮ばねによって連結され、前記引き締め板の下面と前記磁性引き締めブロックの上面とは第一牽引縄によって連結されていることを特徴とする請求項２に記載の除曇機能付き且つ明度不足時に自浄可能な街灯。
【請求項４】
前記環状回動空間は環状ラックを含み、前記環状ラックは前記環状回動空間の外壁と固定され、前記環状回動空間は上方へ環状レールと連通しており、前記環状レールにはスライダが摺動可能に設けられ、前記スライダは下方へ前記環状回動空間に延在しており、前記スライダの下面には環状回動ブロックが固定され、前記環状回動ブロックには外方に開口する昇降動力空間が設けられ、前記昇降動力空間の下壁には第三従動軸が回動可能に設けられ、前記第三従動軸は下方へ前記環状連通空間を貫通して前記昇降空間に、上方へ前記昇降動力空間に延在しており、前記昇降動力空間には前記第三従動軸と固定された第二伝動歯車が設けられ、前記第二伝動歯車は前記環状ラックと噛み合っており、前記環状回動ブロックの内面には前記第一伝動歯車と噛み合った内歯車が固定されていることを特徴とする請求項３に記載の除曇機能付き且つ明度不足時に自浄可能な街灯。
【請求項５】
前記昇降空間はスリーブを含み、前記スリーブは前記昇降空間に位置し且つ前記第三従動軸とネジ山を介して連結され、前記スリーブの内面には海綿が固定され、前記海綿には噴水管が設けられ、前記噴水管は一端が上方に開口し、他端が内方に開口し、前記揚水ポンプの下面には水管が固定され、前記水管は上方へ前記昇降空間の上壁と連通しており、前記水管と前記噴水管の上開口とは波形管によって連結され、前記波形管は前記昇降空間に位置しており、前記スリーブの外面上端には接触ブロックが固定され、前記昇降空間の外壁下端には接触センサが固定されていることを特徴とする請求項４に記載の除曇機能付き且つ明度不足時に自浄可能な街灯。
【請求項６】
前記リール空間は第四従動軸を含み、前記第四従動軸は前記リール空間の右壁に回動可能に設けられ、前記第四従動軸は左方へ前記リール空間に、右方へ前記下プーリ空間に延在しており、前記第二伝動ベルトには前記第一従動軸と固定された第一傘歯車が設けられ、前記第四従動軸には前記リール空間に位置する第二傘歯車が固定され、前記第二傘歯車は前記第一傘歯車と噛み合っており、前記第二傘歯車の左方には前記第四従動軸と固定された伝動軸受が設けられ、前記伝動軸受にはリールが回動可能に設けられ、前記伝動軸受には外方に開口する複数の伝動ブロック空間が、前記第四従動軸を中心に円周方向に配列され、前記伝動ブロック空間には伝動ブロックが摺動可能に設けられ、前記伝動ブロックの内面と前記伝動ブロック空間の内壁とは第三圧縮ばねによって連結され、前記リールには前記伝動ブロック空間と対応し且つ内方に開口する複数の伝動ブロック位置制限空間が設けられていることを特徴とする請求項５に記載の除曇機能付き且つ明度不足時に自浄可能な街灯。
【請求項７】
前記湿気排出口は第二牽引縄を含み、前記第二牽引縄は一端が前記湿気吸収箱の上面と固定され、他端が前記リールと固定され、前記湿気排出空間は左方へ後方に開口する排気空間と連通しており、前記ファン空間は右方へ後方に開口する給気空間と連通しており、前記給気空間は前記下プーリ空間の左方に位置しており、前記給気空間の右壁には第五従動軸が回動可能に設けられ、前記第五従動軸は右方へ前記下プーリ空間に、左方へ前記ファン空間に延在しており、前記第五従動軸の左端には前記湿気吸収箱の右方に位置するファンが固定され、前記第五従動軸と前記第四従動軸とは第三伝動ベルトによって伝動可能に連結され、前記第三伝動ベルトは前記下プーリ空間に位置していることを特徴とする請求項６に記載の除曇機能付き且つ明度不足時に自浄可能な街灯。
【請求項８】
前記湿気吸収箱は湿気吸収空間を含み、前記湿気吸収空間は前記湿気吸収箱に位置し且つ左右貫通であり、前記湿気吸収空間は上方へ作動ブロック空間と連通しており、前記作動ブロック空間には作動ブロックが摺動可能に設けられ、前記作動ブロックの上面と前記作動ブロック空間の上壁とは牽引ばねによって連結され、前記作動ブロック空間の右壁上端には前記作動ブロックと当接できる接触スイッチが固定され、前記作動ブロックの下面と前記湿気吸収空間の下壁とは親水性繊維によって連結されていることを特徴とする請求項１に記載の除曇機能付き且つ明度不足時に自浄可能な街灯。
【発明の詳細な説明】
【技術分野】
【０００１】
本願発明は照明技術分野を取り上げ、特に除曇機能付き且つ明度不足時に自浄可能な街灯に関わる。
【背景技術】
【０００２】
街灯は、運転車両や通行人に照明を提供する装置であり、長時間に汚れを取らないと、明度が下がり、しかし、街灯の数が多く、灯体位置も高いため、汚れとりに不便である。現在、街灯に対する汚れとりは、基本的に作業員が昇降台に乗って行われるが、安全問題がある一方、効率も悪い。また、人力作業は、電球の外面しか対処できない。電球の内に生じた水霧もまた照明効果に響く。中身を対処できないと、水霧の生じた電球に対し、取り替えることしかできず、浪費をもたらす。
【先行技術文献】
【特許文献】
【０００３】
【特許文献１】中国特許出願公開第１０７６５４９４２号明細書
【発明の概要】
【発明が解決しようとする課題】
【０００４】
除曇機能付き且つ明度不足時に自浄可能な街灯を考案し、上記問題を解決することを目的とする。
【課題を解決するための手段】
【０００５】
本願に記載の除曇機能付き且つ明度不足時に自浄可能な街灯は、街灯柱を含み、前記街灯柱は下方へ地面と固定され、前記街灯柱の右部には光センサが固定され、前記街灯柱は上方へ本体と固定され、前記本体には貯水空間が設けられ、前記貯水空間は上方へ上方に開口する集水空間と連通しており、前記貯水空間は下方へ揚水ポンプと固定され、前記貯水空間の右方には環状回動空間が設けられ、前記環状回動空間は下方へ環状連通空間と連通しており、前記環状連通空間は下方へ昇降空間と連通しており、前記本体は下方へ前記昇降空間と前記街灯柱との間に位置する連結ブロックと固定され、前記連結ブロックは下方へ電球と固定され、前記電球には発光空間が設けられ、前記昇降空間と前記連結ブロックとの間には下方に開口する湿気排出空間が設けられ、前記湿気排出空間は前記本体に位置し且つ前記連結ブロックの左方に位置しており、前記発光空間は上方へ上方に開口する湿気吸収箱連通空間と連通しており、前記湿気吸収箱連通空間は前記湿気排出空間と対応し、前記湿気吸収箱連通空間には湿気吸収箱が摺動可能に設けられ、前記湿気吸収箱は上方へ前記湿気排出空間に、下方へ前記発光空間に延在しており、前記湿気排出空間は右方へファン空間と連通しており、前記ファン空間の右方には上方に延在する下プーリ空間が設けられ、前記湿気排出空間の上方にはリール空間が設けられ、前記下プーリ空間の上方には前記本体と固定されたモータが設けられ、前記モータの上方には左プーリ空間が設けられ、前記左プーリ空間の上方には右プーリ空間が設けられ、前記左プーリ空間の右方には回動動力空間が設けられ、前記回動動力空間は右方へ前記環状回動空間と連通している。
【０００６】
さらに、前記左プーリ空間は駆動軸を含み、前記駆動軸は前記左プーリ空間の上壁に回動可能に設けられ、前記駆動軸は下方へ前記左プーリ空間を貫通して前記モータの上面と固定され、且つ上方へ前記右プーリ空間に延在しており、前記左プーリ空間の下壁には第一従動軸が回動可能に設けられ、前記第一従動軸は上方へ前記左プーリ空間に、下方へ前記リール空間に延在しており、前記第一従動軸と前記駆動軸とは第一伝動ベルトによって伝動可能に連結され、前記左プーリ空間は上方へ磁性引き締めブロック空間と連通しており、前記磁性引き締めブロック空間は前記第一従動軸と前記駆動軸の間に位置しており、前記磁性引き締めブロック空間の上壁には電磁石が固定され、前記磁性引き締めブロックには磁性引き締めブロックが摺動可能に設けられ、前記磁性引き締めブロックにより前記第一伝動ベルトを引き締められ、前記磁性引き締めブロックの上面と前記電磁石の下面とは第一圧縮ばねによって連結されている。
【０００７】
さらに、前記右プーリ空間は第二従動軸を含み、前記第二従動軸は前記右プーリ空間の下壁に回動可能に設けられ、前記第二従動軸は上方へ前記右プーリ空間に、下方へ前記回動動力空間に延在しており、前記回動動力空間には前記第二従動軸と固定された第一伝動歯車が設けられ、前記第二従動軸と前記駆動軸とは第二伝動ベルトによって伝動可能に連結され、前記右プーリ空間は下方へ引き締めブロック空間と連通しており、前記引き締めブロック空間は前記第二従動軸と前記駆動軸との間に位置しており、前記引き締めブロック空間には引き締め板が摺動可能に設けられ、前記引き締め板の下面と前記引き締めブロック空間の下壁とは第二圧縮ばねによって連結され、前記引き締め板の下面と前記磁性引き締めブロックの上面とは第一牽引縄によって連結されている。
【０００８】
さらに、前記環状回動空間は環状ラックを含み、前記環状ラックは前記環状回動空間の外壁と固定され、前記環状回動空間は上方へ環状レールと連通しており、前記環状レールにはスライダが摺動可能に設けられ、前記スライダは下方へ前記環状回動空間に延在しており、前記スライダの下面には環状回動ブロックが固定され、前記環状回動ブロックには外方に開口する昇降動力空間が設けられ、前記昇降動力空間の下壁には第三従動軸が回動可能に設けられ、前記第三従動軸は下方へ前記環状連通空間を貫通して前記昇降空間に、上方へ前記昇降動力空間に延在しており、前記昇降動力空間には前記第三従動軸と固定された第二伝動歯車が設けられ、前記第二伝動歯車は前記環状ラックと噛み合っており、前記環状回動ブロックの内面には前記第一伝動歯車と噛み合った内歯車が固定されている。
【０００９】
さらに、前記昇降空間はスリーブを含み、前記スリーブは前記昇降空間に位置し且つ前記第三従動軸とネジ山を介して連結され、前記スリーブの内面には海綿が固定され、前記海綿には噴水管が設けられ、前記噴水管は一端が上方に開口し、他端が内方に開口し、前記揚水ポンプの下面には水管が固定され、前記水管は上方へ前記昇降空間の上壁と連通しており、前記水管と前記噴水管の上開口とは波形管によって連結され、前記波形管は前記昇降空間に位置しており、前記スリーブの外面上端には接触ブロックが固定され、前記昇降空間の外壁下端には接触センサが固定されている。
【００１０】
さらに、前記リール空間は第四従動軸を含み、前記第四従動軸は前記リール空間の右壁に回動可能に設けられ、前記第四従動軸は左方へ前記リール空間に、右方へ前記下プーリ空間に延在しており、前記第二伝動ベルトには前記第一従動軸と固定された第一傘歯車が設けられ、前記第四従動軸には前記リール空間に位置する第二傘歯車が固定され、前記第二傘歯車は前記第一傘歯車と噛み合っており、前記第二傘歯車の左方には前記第四従動軸と固定された伝動軸受が設けられ、前記伝動軸受にはリールが回動可能に設けられ、前記伝動軸受には外方に開口する複数の伝動ブロック空間が、前記第四従動軸を中心に円周方向に配列され、前記伝動ブロック空間には伝動ブロックが摺動可能に設けられ、前記伝動ブロックの内面と前記伝動ブロック空間の内壁とは第三圧縮ばねによって連結され、前記リールには前記伝動ブロック空間と対応し且つ内方に開口する複数の伝動ブロック位置制限空間が設けられている。
【００１１】
さらに、前記湿気排出口は第二牽引縄を含み、前記第二牽引縄は一端が前記湿気吸収箱の上面と固定され、他端が前記リールと固定され、前記湿気排出空間は左方へ後方に開口する排気空間と連通しており、前記ファン空間は右方へ後方に開口する給気空間と連通しており、前記給気空間は前記下プーリ空間の左方に位置しており、前記給気空間の右壁には第五従動軸が回動可能に設けられ、前記第五従動軸は右方へ前記下プーリ空間に、左方へ前記ファン空間に延在しており、前記第五従動軸の左端には前記湿気吸収箱の右方に位置するファンが固定され、前記第五従動軸と前記第四従動軸とは第三伝動ベルトによって伝動可能に連結され、前記第三伝動ベルトは前記下プーリ空間に位置している。
【００１２】
さらに、前記湿気吸収箱は湿気吸収空間を含み、前記湿気吸収空間は前記湿気吸収箱に位置し且つ左右貫通であり、前記湿気吸収空間は上方へ作動ブロック空間と連通しており、前記作動ブロック空間には作動ブロックが摺動可能に設けられ、前記作動ブロックの上面と前記作動ブロック空間の上壁とは牽引ばねによって連結され、前記作動ブロック空間の右壁上端には前記作動ブロックと当接できる接触スイッチが固定され、前記作動ブロックの下面と前記湿気吸収空間の下壁とは親水性繊維によって連結されている。
【発明の効果】
【００１３】
本願発明は以下のプラス効果を有する：本願発明は、電球が明度不足になると、光センサによって自浄を行い、海綿の回転降下と収容された雨水により、電球の表面を清潔にし、街灯の自浄を可能にし、また、親水性繊維によって発光空間にある水蒸気を吸収し、水霧の凝結を防ぎ、繊維が飽和したら、自動的に湿気排出を行い、このように街灯の自動除曇と湿気排出を可能にする。
【図面の簡単な説明】
【００１４】
下記に図１〜５を合わせて本願発明について詳しく説明し、便利に説明するために、本願に記載の各方向を以下のように規定する：図１における観察方向は正面視であり、本願に記載の各方向は、図１における観察方向に基づくものである。
【００１５】
【図１】図１は本願発明の全体構成略図
【図２】図２は図１におけるＡ部の拡大構成略図
【図３】図３は図１におけるＢ部の拡大構成略図
【図４】図４は図１におけるＣ部の拡大構成略図
【図５】図５は図１におけるＤ部の拡大構成略図
【発明を実施するための形態】
【００１６】
図１〜５を参照し、本願に記載の除曇機能付き且つ明度不足時に自浄可能な街灯は、街灯柱１６を含み、前記街灯柱１６は下方へ地面と固定され、前記街灯柱１６の右部には光センサ１５が固定され、前記街灯柱１６は上方へ本体１０と固定され、前記本体１０には貯水空間２０が設けられ、前記貯水空間２０は上方へ上方に開口する集水空間２１と連通しており、前記貯水空間２０は下方へ揚水ポンプ１９と固定され、前記貯水空間２０の右方には環状回動空間３５が設けられ、前記環状回動空間３５は下方へ環状連通空間２７と連通しており、前記環状連通空間２７は下方へ昇降空間２３と連通しており、前記本体１０は下方へ前記昇降空間２３と前記街灯柱１６との間に位置する連結ブロック７４と固定され、前記連結ブロック７４は下方へ電球１１と固定され、前記電球１１には発光空間１２が設けられ、前記昇降空間２３と前記連結ブロック７４との間には下方に開口する湿気排出空間６８が設けられ、前記湿気排出空間６８は前記本体１０に位置し且つ前記連結ブロック７４の左方に位置しており、前記発光空間１２は上方へ上方に開口する湿気吸収箱連通空間７３と連通しており、前記湿気吸収箱連通空間７３は前記湿気排出空間６８と対応し、前記湿気吸収箱連通空間７３には湿気吸収箱１４が摺動可能に設けられ、前記湿気吸収箱１４は上方へ前記湿気排出空間６８に、下方へ前記発光空間１２に延在しており、前記湿気排出空間６８は右方へファン空間７８と連通しており、前記ファン空間７８の右方には上方に延在する下プーリ空間６２が設けられ、前記湿気排出空間６８の上方にはリール空間６０が設けられ、前記下プーリ空間６２の上方には前記本体１０と固定されたモータ２２が設けられ、前記モータ２２の上方には左プーリ空間４１が設けられ、前記左プーリ空間４１の上方には右プーリ空間８０が設けられ、前記左プーリ空間４１の右方には回動動力空間４８が設けられ、前記回動動力空間４８は右方へ前記環状回動空間３５と連通している。
【００１７】
一つの実施案として、前記左プーリ空間４１は駆動軸５２を含み、前記駆動軸５２は前記左プーリ空間４１の上壁に回動可能に設けられ、前記駆動軸５２は下方へ前記左プーリ空間４１を貫通して前記モータ２２の上面と固定され、且つ上方へ前記右プーリ空間８０に延在しており、前記左プーリ空間４１の下壁には第一従動軸４２が回動可能に設けられ、前記第一従動軸４２は上方へ前記左プーリ空間４１に、下方へ前記リール空間６０に延在しており、前記第一従動軸４２と前記駆動軸５２とは第一伝動ベルト４３によって伝動可能に連結され、前記左プーリ空間４１は上方へ磁性引き締めブロック空間４０と連通しており、前記磁性引き締めブロック空間４０は前記第一従動軸４２と前記駆動軸５２の間に位置しており、前記磁性引き締めブロック空間４２の上壁には電磁石５４が固定され、前記磁性引き締めブロック４０には磁性引き締めブロック４４が摺動可能に設けられ、前記磁性引き締めブロック４４により前記第一伝動ベルト４３を引き締められ、前記磁性引き締めブロック４４の上面と前記電磁石５４の下面とは第一圧縮ばね３９によって連結され、前記モータ２２が作動して前記駆動軸５２を駆動して回転させ、前記磁性引き締めブロック４４が前記第一伝動ベルト４３を引き締めたら、前記駆動軸５２は回転して前記第一伝動ベルト４３により前記第一従動軸４２を連動させて回転させる。
【００１８】
一つの実施案として、前記右プーリ空間８０は第二従動軸４９を含み、前記第二従動軸４９は前記右プーリ空間８０の下壁に回動可能に設けられ、前記第二従動軸４９は上方へ前記右プーリ空間８０に、下方へ前記回動動力空間４８に延在しており、前記回動動力空間４８には前記第二従動軸４９と固定された第一伝動歯車４７が設けられ、前記第二従動軸４９と前記駆動軸５２とは第二伝動ベルト５０によって伝動可能に連結され、前記右プーリ空間８０は下方へ引き締めブロック空間４６と連通しており、前記引き締めブロック空間４６は前記第二従動軸４９と前記駆動軸５２との間に位置しており、前記引き締めブロック空間４６には引き締め板５１が摺動可能に設けられ、前記引き締め板５１の下面と前記引き締めブロック空間４６の下壁とは第二圧縮ばね４５によって連結され、前記引き締め板５１の下面と前記磁性引き締めブロック４４の上面とは第一牽引縄５３によって連結され、前記引き締め板５１が前記第二伝動ベルト５０を引き締めたら、前記駆動軸５２は回転して前記第二伝動ベルト５０によって前記第二従動軸４９を連動させ、前記第二従動軸４９は回転して前記第一伝動歯車４７を回転させ、前記第二圧縮ばね４５は前記第一圧縮ばね３９より弾力が弱く、前記電磁石５４が停電されたら、前記磁性引き締めブロック４４は前記第一圧縮ばね３９によって前記第一伝動ベルト４３を引き締め、前記引き締め板５１は前記第一牽引縄５３に引かれて前記第二伝動ベルト５０の下方に位置するようになり、前記電磁石５４が通電されたら、前記磁性引き締めブロック４４は前記電磁石５４との吸引力によって前記第一圧縮ばね３９を抵抗して上昇し、前記第一伝動ベルト４３の上方に至り、前記引き締め板５１は前記第一牽引縄５３の牽引力をなくしたら前記第二圧縮ばね４５によって上昇し、前記第二伝動ベルト５０を引き締める。
【００１９】
一つの実施案として、前記環状回動空間３５は環状ラック２４を含み、前記環状ラック２４は前記環状回動空間３５の外壁と固定され、前記環状回動空間３５は上方へ環状レール３６と連通しており、前記環状レール３６にはスライダ３７が摺動可能に設けられ、前記スライダ３７は下方へ前記環状回動空間３５に延在しており、前記スライダ３７の下面には環状回動ブロック３８が固定され、前記環状回動ブロック３８には外方に開口する昇降動力空間２６が設けられ、前記昇降動力空間２６の下壁には第三従動軸３０が回動可能に設けられ、前記第三従動軸３０は下方へ前記環状連通空間２７を貫通して前記昇降空間２３に、上方へ前記昇降動力空間２６に延在しており、前記昇降動力空間２６には前記第三従動軸３０と固定された第二伝動歯車２５が設けられ、前記第二伝動歯車２５は前記環状ラック２４と噛み合っており、前記環状回動ブロック３８の内面には前記第一伝動歯車４７と噛み合った内歯車３４が固定され、前記第一伝動歯車４７は回転して前記内歯車３４を連動させ、前記内歯車３４は回転して前記環状回動ブロック３８と前記スライダ３７に前記環状レール３６に沿って回転させることで、前記環状ラック２４により前記第二伝動歯車２５を連動させて回転させ、従って前記第三従動軸３０は連動して回転する。
【００２０】
一つの実施案として、前記昇降空間２３はスリーブ２９を含み、前記スリーブ２９は前記昇降空間２３に位置し且つ前記第三従動軸３０とネジ山を介して連結され、前記スリーブ２９の内面には海綿３１が固定され、前記海綿３１には噴水管３２が設けられ、前記噴水管３２は一端が上方に開口し、他端が内方に開口し、前記揚水ポンプ１９の下面には水管１８が固定され、前記水管１８は上方へ前記昇降空間２３の上壁と連通しており、前記水管１８と前記噴水管３２の上開口とは波形管３３によって連結され、前記波形管３３は前記昇降空間２３に位置しており、前記スリーブ２９の外面上端には接触ブロック２８が固定され、前記昇降空間２３の外壁下端には接触センサ１７が固定され、前記第三従動軸３０の回転により、前記スリーブ２９と前記海綿３１は連動して降下し、前記接触ブロック２８が降下して前記接触センサ１７と接触したら、前記モータ２２は逆回転して且つ前記モータ２２、前記電磁石５４、前記揚水ポンプ１９は定時に止まり、前記モータ２２の逆回転により、前記スリーブ２９と前記海綿３１は連動して上昇して初期位置に戻り、戻ったらちょうど前記モータ２２、前記電磁石５４、前記揚水ポンプ１９は止まる。
【００２１】
一つの実施案として、前記リール空間６０は第四従動軸６３を含み、前記第四従動軸６３は前記リール空間６０の右壁に回動可能に設けられ、前記第四従動軸６３は左方へ前記リール空間６０に、右方へ前記下プーリ空間６２に延在しており、前記第二伝動ベルト５０には前記第一従動軸４２と固定された第一傘歯車６４が設けられ、前記第四従動軸６３には前記リール空間６０に位置する第二傘歯車５９が固定され、前記第二傘歯車５９は前記第一傘歯車６４と噛み合っており、前記第二傘歯車５９の左方には前記第四従動軸６３と固定された伝動軸受５８が設けられ、前記伝動軸受５８にはリール６５が回動可能に設けられ、前記伝動軸受５８には外方に開口する複数の伝動ブロック空間５６が、前記第四従動軸６３を中心に円周方向に配列され、前記伝動ブロック空間５６には伝動ブロック５５が摺動可能に設けられ、前記伝動ブロック５５の内面と前記伝動ブロック空間５６の内壁とは第三圧縮ばね５７によって連結され、前記リール６５には前記伝動ブロック空間５６と対応し且つ内方に開口する複数の伝動ブロック位置制限空間６６が設けられ、前記第一従動軸４２の回転により、前記第一傘歯車６４は連動して回転し、前記第二傘歯車５９によって前記第四従動軸６３を回転させ、前記伝動軸受５８は前記第四従動軸６３につれ回転し、前記伝動ブロック５５によって前記リール６５を回転させ、前記リール６５が回転できなくなると、前記伝動ブロック５５は前記伝動ブロック位置制限空間６６の側壁によって前記第三圧縮ばね５７を抵抗して内方へ前記伝動ブロック空間５６に入り、前記伝動軸受５８は空回りしはじめる。
【００２２】
一つの実施案として、前記湿気排出口６８は第二牽引縄７９を含み、前記第二牽引縄７９は一端が前記湿気吸収箱１４の上面と固定され、他端が前記リール６５と固定され、前記湿気排出空間６８は左方へ後方に開口する排気空間６７と連通しており、前記ファン空間７８は右方へ後方に開口する給気空間７６と連通しており、前記給気空間７６は前記下プーリ空間６２の左方に位置しており、前記給気空間７６の右壁には第五従動軸７７が回動可能に設けられ、前記第五従動軸７７は右方へ前記下プーリ空間６２に、左方へ前記ファン空間７８に延在しており、前記第五従動軸７７の左端には前記湿気吸収箱１４の右方に位置するファン６９が固定され、前記第五従動軸７７と前記第四従動軸６３とは第三伝動ベルト６１によって伝動可能に連結され、前記第三伝動ベルト６１は前記下プーリ空間６２に位置しており、前記第四従動軸６３は回転して前記第三伝動ベルト６１によって前記第五従動軸７７を回転させ、前記ファン６９は前記第五従動軸７７につれ回転し、外部の空気を前記給気空間７６から前記ファン空間７８に吸い込み、さらに前記排気空間６７から送出し、前記リール６５は回転して前記第二牽引縄７９によって前記湿気吸収箱１４を上昇させ、前記湿気吸収箱１４が上昇して自体の上面が前記湿気排出口６８の上壁と当接したら、前記リール６５はこれ以上回転できなくなる。
【００２３】
一つの実施案として、前記湿気吸収箱１４は湿気吸収空間８１を含み、前記湿気吸収空間８１は前記湿気吸収箱１４に位置し且つ左右貫通であり、前記湿気吸収空間８１は上方へ作動ブロック空間７０と連通しており、前記作動ブロック空間７０には作動ブロック７２が摺動可能に設けられ、前記作動ブロック７２の上面と前記作動ブロック空間７０の上壁とは牽引ばね７１によって連結され、前記作動ブロック空間７０の右壁上端には前記作動ブロック７２と当接できる接触スイッチ７５が固定され、前記作動ブロック７２の下面と前記湿気吸収空間８１の下壁とは親水性繊維１３によって連結され、前記親水性繊維１３は水蒸気を吸収して膨張でき、前記親水性繊維１３が水蒸気を吸収して膨張したら、前記作動ブロック７２は前記牽引ばね７１によって上昇し、前記接触スイッチ７５と接触したら、前記モータ２２は作動し、前記湿気吸収箱１４を駆動して上昇させ、前記湿気吸収箱１４が上限位置まで上昇したら、前記湿気吸収空間８１はちょうど前記ファン６９と位置揃い、前記ファン６９による風は、前記親水性繊維１３に含まれた水分の蒸発を速め、水分が完全に蒸発したら、前記親水性繊維１３は前記作動ブロック７２を連動させ、前記作動ブロック７２は前記牽引ばね７１からの牽引力を抵抗して下方へ前記接触スイッチ７５から離脱し、前記モータ２２はここで作動を止め、前記湿気吸収箱１４は自重により初期位置まで降下する。
【００２４】
本願発明の作動手順は以下の通りである。
【００２５】
はじめに、牽引ばね７１は引き伸ばされ、作動ブロック７２は接触スイッチ７５の下方にあり、親水性繊維１３は発光空間１２にあり、第二牽引縄７９は引き締まり、第三圧縮ばね５７は自然状態にあり、伝動ブロック５５は一部が伝動ブロック位置制限空間６６にあり、第一圧縮ばね３９は自然状態にあり、磁性引き締めブロック４４は一部が左プーリ空間４１にあり、左プーリ空間４１にある部分によって第一伝動ベルト４３を引き締め、第一牽引縄５３は引き締まり、第二圧縮ばね４５は圧縮状態にあり、引き締め板５１は第二伝動ベルト５０の下方にあり、スリーブ２９は完全に昇降空間２３にある。
【００２６】
作業に当たって、光センサ１５が電球１１の明度不足を検知できたら、モータ２２、電磁石５４、揚水ポンプ１９は作動し、モータ２２と電磁石５４の作動により、海綿３１は電球１１を中心に回転しながら降下し、揚水ポンプ１９の作動により、貯水空間２０に集めた雨水は噴水管３２を介して噴出され、このように電球１１を洗浄し、接触ブロック２８が降下して接触センサ１７と接触したら、モータ２２は逆回転し且つモータ２２、電磁石５４、揚水ポンプ１９は定時に止まり、モータ２２の逆回転により、海綿３１は逆回転しながら上昇し、初期位置に戻ったら、モータ２２、電磁石５４、揚水ポンプ１９はちょうど止まり、このように電球１１が明度不足になるときの自浄を行い、発光空間１２に水蒸気が出たら、親水性繊維１３は水蒸気を吸収して膨張し、作動ブロック７２を上昇させ、親水性繊維１３が飽和したら、作動ブロック７２は接触スイッチ７５と接触し、モータ２２を作動させ、モータ２２はリール６５を駆動して回転させることで、湿気吸収箱１４を上昇させ、また、ファン６９も連動して回転し、湿気吸収箱１４の上面が湿気排出空間６８の上壁と当接したら、リール６５はこれ以上回転できなくなり、伝動ブロック５５が伝動ブロック位置制限空間６６から離脱することで、リール６５は空回りしはじめ、また、親水性繊維１３はちょうどファン６９と向き合い、ファン６９による風は、親水性繊維１３に含まれた水分の蒸発を速め、水分が完全に蒸発したら、作動ブロック７２は接触スイッチ７５から離脱するまで降下し、モータ２２は作動を止め、湿気吸収箱１４は自重によって初期位置に戻り、このように自動湿気吸収と自動水分排出を行う。
【００２７】
以上の方式により、当該分野の技術者は本願発明の範囲内で作業状況に応じて様々な改変を加えることができる。
【要約】
【課題】本願は除曇機能付き且つ明度不足時に自浄可能な街灯を開示した。
【解決手段】
本願に記載の除曇機能付き且つ明度不足時に自浄可能な街灯は、街灯柱を含み、前記街灯柱は下方へ地面と固定され、前記街灯柱の右部には光センサが固定され、前記街灯柱は上方へ本体と固定され、前記本体には貯水空間が設けられ、前記貯水空間は上方へ上方に開口する集水空間と連通しており、前記貯水空間は下方へ揚水ポンプと固定され、前記貯水空間の右方には環状回動空間が設けられ、前記環状回動空間は下方へ環状連通空間と連通しており、前記環状連通空間は下方へ昇降空間と連通しており、前記本体は下方へ前記昇降空間と前記街灯柱との間に位置する連結ブロックと固定されている。
【選択図】図１【図１】
0006859545.tif 000002
【図２】
0006859545.tif 000003
【図３】
0006859545.tif 000004
【図４】
0006859545.tif 000005
【図５】
0006859545.tif 000006